(57)【要約】【課題】光ディスク装置において、バッファの記憶容量を増やすことなく、レイヤジャンプの際の再生画像の乱れ等を防止する。【解決手段】２層の記録面を有する光ディスクＤが装填されたとき、各層の径方向へのデータの記録順序を取得し、その記録順序に応じてレイヤジャンプの準備動作を開始するための目標アドレスを設定する。第１層のデータを再生中に目標アドレスを検出したとき、第１層の終了アドレスまでデータを最大速度で先読みし、先読みしたデータをメモリに蓄積する。その後、第１層の終了アドレスまでデータを先読みしたとき、メモリに蓄積されたデータを再生しながら、レイヤジャンプを行い、第２層のデータを通常の再生速度で再生する。これにより、レイヤジャンプの際、メモリに、レイヤジャンプに要する時間分以上のデータを蓄積させる。【選択図】      図３
2004335029.tif 000002
【特許請求の範囲】
【請求項１】
光ディスクの信号記録面に光を照射してその反射光を検出し、電気信号に変換して出力する光ピックアップと、この光ピックアップから出力された電気信号を一時的に蓄積するバッファ手段とを備えた光ディスク装置において、
片面に２層の記録面を有する光ディスクの各層の径方向へのデータの記録順序を取得する記録順序取得手段と、
前記記録順序取得手段が取得した記録順序に応じて、第１層から第２層へのレイヤジャンプの準備動作を開始するための目標アドレスを設定する目標アドレス設定手段と、
第１層のデータを再生中に前記目標アドレス設定手段が設定した目標アドレスを検出したとき、該第１層の終了アドレスまでデータを最大速度で先読みし、先読みしたデータを前記バッファ手段に蓄積するデータ先読み手段と、
前記データ先読み手段が、第１層の終了アドレスまでデータを先読みしたとき、前記バッファ手段に蓄積されたデータを再生しながら、前記光ピックアップの対物レンズを駆動することにより該レンズの焦点を第１層から第２層に移動させてレイヤジャンプを行うレイヤジャンプ手段と、
前記レイヤジャンプ手段がレイヤジャンプを完了させたとき、第２層のデータを通常の再生速度で再生する第２層再生手段とを備え、
レイヤジャンプの際、前記バッファ手段に、レイヤジャンプに要する時間分以上のデータを蓄積させるようにしたことを特徴とする光ディスク装置。
【請求項２】
光ディスクの信号記録面に光を照射してその反射光を検出し、電気信号に変換して出力する光ピックアップと、この光ピックアップから出力された電気信号を一時的に蓄積するバッファ手段とを備えた光ディスク装置において、
複数層の記録面を有する光ディスクのいずれかの層から次の層へのレイヤジャンプの準備動作を開始するための目標アドレスを設定する目標アドレス設定手段と、
いずれかの層のデータを再生中に前記目標アドレス設定手段が設定した目標アドレスを検出したとき、その層の終了アドレスまでデータを通常の再生速度より速い速度で先読みし、先読みしたデータを前記バッファ手段に蓄積するデータ先読み手段と、
前記データ先読み手段が、前記いずれかの層の終了アドレスまでデータを先読みしたとき、前記バッファ手段に蓄積されたデータを再生しながら、前記光ピックアップの対物レンズの焦点を該いずれかの層から次の層に移動させてレイヤジャンプを行うレイヤジャンプ手段と、
前記レイヤジャンプ手段がレイヤジャンプを完了させたとき、前記次の層のデータを通常の再生速度で再生する次層再生手段とを備えたことを特徴とする光ディスク装置。
【請求項３】
光ディスクの各層の径方向へのデータの記録順序を取得する記録順序取得手段と、
前記記録順序取得手段が取得した記録順序に応じて、前記データ先読み手段がデータを先読みする速度を設定する先読み速度設定手段をさらに備えたことを特徴とする請求項２に記載の光ディスク装置。
【発明の詳細な説明】
【０００１】
【発明の属する技術分野】
本発明は、複数層の記録面を有する光ディスクに対応する光ディスク装置に関するものである。
【０００２】
【従来の技術】
映像信号及び音声信号を記録／再生する光ディスクにおいては、大量のデータを記録可能なＤＶＤ（Ｄｉｇｉｔａｌ  Ｖｅｒｓａｔｉｌｅ  Ｄｉｓｃ）がユーザによって支持され、普及しつつある。最近では、さらに大きな記録容量を得るために、片面に２層のデータ記録面を有する２層ＤＶＤが登場している。このような２層ＤＶＤに対応する光ディスク装置では、光ピックアップの対物レンズをフォーカシング方向に移動させることにより、該レンズの焦点を各記録面上にジャンプ（レイヤジャンプ）させて、各層に記録されているデータを再生するように構成されている。データを再生する際には、光ピックアップから出力されるデータはメモリ（バッファ）に随時蓄積され、順次再生される。
【０００３】
また、ＤＶＤは、カラオケ装置において、映像信号及び音声信号を記録するメディアとしても用いられている。このような、ＤＶＤを用いたカラオケ装置にあっては、ディスクチェンジの直前にデータをＮ倍速で先読みし、そのデータをバッファに蓄積するように構成されたものが知られている（例えば、特許文献１参照）。
【０００４】
【特許文献１】
特開２０００−３０５５７６号公報
【０００５】
【発明が解決しようとする課題】
しかしながら、２層ＤＶＤを再生するとき、第１層から第２層へのレイヤジャンプに時間が掛かることがあり、従来の光ディスク装置においては、バッファに蓄積されたデータが底を突き、モニタ装置の画面に再生される映像が途切れたり、乱れたりする場合がある。この問題を回避するには、バッファの記憶容量を増やすことが不可欠となり、光ディスク装置の製造コストが高騰する。
【０００６】
また、上記特許文献１に示されるカラオケ装置の技術を適用して光ディスク装置を構成した場合であっても、レイヤジャンプの直前にバッファに蓄積しておくべきデータの量を予測することができないので、バッファに蓄積されるデータを絶やさないようにするためには、やはり、バッファの記憶容量を増やすことが必要となる。
【０００７】
本発明は、上述した問題点を解決するためになされたものであり、バッファの記憶容量を増やすことなく、レイヤジャンプの際の再生画像の乱れ等を防止することができる光ディスク装置を提供することを目的とする。
【０００８】
【課題を解決するための手段】
上記目的を達成するために請求項１の発明は、光ディスクの信号記録面に光を照射してその反射光を検出し、電気信号に変換して出力する光ピックアップと、この光ピックアップから出力された電気信号を一時的に蓄積するバッファ手段とを備えた光ディスク装置において、片面に２層の記録面を有する光ディスクの各層の径方向へのデータの記録順序を取得する記録順序取得手段と、記録順序取得手段が取得した記録順序に応じて、第１層から第２層へのレイヤジャンプの準備動作を開始するための目標アドレスを設定する目標アドレス設定手段と、第１層のデータを再生中に目標アドレス設定手段が設定した目標アドレスを検出したとき、第１層の終了アドレスまでデータを最大速度で先読みし、先読みしたデータをバッファ手段に蓄積するデータ先読み手段と、データ先読み手段が、第１層の終了アドレスまでデータを先読みしたとき、バッファ手段に蓄積されたデータを再生しながら、光ピックアップの対物レンズを駆動することにより該レンズの焦点を第１層から第２層に移動させてレイヤジャンプを行うレイヤジャンプ手段と、レイヤジャンプ手段がレイヤジャンプを完了させたとき、第２層のデータを通常の再生速度で再生する第２層再生手段とを備え、レイヤジャンプの際、バッファ手段に、レイヤジャンプに要する時間分以上のデータを蓄積させるようにしたものである。
【０００９】
この構成においては、片面に２層の記録面を有する光ディスクが装置に装填されたとき、記録順序取得手段が光ディスクの各層毎の径方向へのデータ記録順序を取得する。その後、第１層に記録されたデータが再生され、第１層の終端近傍までデータが再生されると、レイヤジャンプの準備動作を行う。この準備動作とは、光ピックアップの読み取り速度を最大限に高めることにより、レイヤジャンプに要する時間分以上のデータを先読みしてバッファに蓄積する動作をいい、データ先読み手段が目標アドレスを検出することにより開始される。目標アドレスは、光ディスクの各層の径方向へのデータの記録順序によってレイヤジャンプ時における光ピックアップの該方向への移動量、すなわちレイヤジャンプに要する時間、が相違することに着目して、目標アドレス設定手段が該記録順序に応じてレイヤジャンプの直前にバッファに蓄積しておくべきデータの量を事前に予測することにより設定される。例えば、光ピックアップの移動量が大きいために、その移動に要する時間が長くなると予測される場合には、該時間分以上のデータがバッファに蓄積されるように、目標アドレスが設定される。レイヤジャンプの準備動作が終了すると、光ピックアップの対物レンズを移動させてレイヤジャンプを実行する。このとき、レイヤジャンプ手段によってバッファに蓄積されたデータが順次再生されるので、レイヤジャンプの前後に亘ってデータが途切れることなく連続的に再生されることになる。
【００１０】
請求項２の発明は、光ディスクの信号記録面に光を照射してその反射光を検出し、電気信号に変換して出力する光ピックアップと、この光ピックアップから出力された電気信号を一時的に蓄積するバッファ手段とを備えた光ディスク装置において、複数層の記録面を有する光ディスクのいずれかの層から次の層へのレイヤジャンプの準備動作を開始するための目標アドレスを設定する目標アドレス設定手段と、いずれかの層のデータを再生中に目標アドレス設定手段が設定した目標アドレスを検出したとき、その層の終了アドレスまでデータを通常の再生速度より速い速度で先読みし、先読みしたデータをバッファ手段に蓄積するデータ先読み手段と、データ先読み手段が、いずれかの層の終了アドレスまでデータを先読みしたとき、バッファ手段に蓄積されたデータを再生しながら、光ピックアップの対物レンズの焦点を該いずれかの層から次の層に移動させてレイヤジャンプを行うレイヤジャンプ手段と、レイヤジャンプ手段がレイヤジャンプを完了させたとき、次の層のデータを再生する次層再生手段とを備えたものである。
【００１１】
この構成においては、複数層の記録面を有する光ディスクが装置に装填されたとき、記録順序取得手段が光ディスクの各層毎の径方向へのデータ記録順序を取得する。その後、いずれかの層に記録されたデータが再生され、その層の終端近傍までデータが再生されると、レイヤジャンプの準備動作を行う。この準備動作とは、光ピックアップの読み取り速度を高めることにより、データを先読みしてバッファに蓄積する動作をいい、データ先読み手段が目標アドレスを検出することにより開始される。目標アドレスは、請求項１と同様に設定される。レイヤジャンプの準備動作が終了すると、光ピックアップの対物レンズを移動させてレイヤジャンプを実行する。このとき、レイヤジャンプ手段によってバッファに蓄積されたデータが順次再生されるので、レイヤジャンプの前後に亘ってデータが途切れることなく連続的に再生されることになる。
【００１２】
請求項３の発明は、請求項２に記載の光ディスク装置において、光ディスクの各層の径方向へのデータの記録順序を取得する記録順序取得手段と、記録順序取得手段が取得した記録順序に応じて、データ先読み手段がデータを先読みする速度を設定する先読み速度設定手段をさらに備えたものである。
【００１３】
この構成においては、光ディスクの各層の径方向へのデータの記録順序によって、光ピックアップの該方向への移動量が相違することに着目して、先読み速度設定手段が該記録順序に応じて先読み速度を設定する。例えば、光ピックアップの移動量が大きいためにその移動に要する時間が長くなる場合には、先読み速度を速く設定して大量の先読みデータをバッファに素早く蓄積する。また、光ピックアップの移動量が少ないために、その移動に要する時間が短い場合には、先読み速度を低速に設定して装置の稼動音を抑制する。
【００１４】
【発明の実施の形態】
本発明の一実施形態による光ディスク装置について図面を参照して説明する。図１は光ディスク装置を示している。光ディスク装置１は、装置内に装填された光ディスクＤに記録された信号を再生するための装置であり、光ディスクＤを支持するターンテーブル２と、ターンテーブル２を回転駆動するスピンドルモータ３と、ターンテーブル２を介してスピンドルモータ３に回転駆動された光ディスクＤにレーザ光を照射し、その反射光を受光することによって光ディスクＤに記録された信号を読み取って出力する光ピックアップ４と、装置各部の制御を司るＣＰＵ（記録順序取得手段、目標アドレス設定手段、データ先読み手段、レイヤジャンプ手段、第２層再生手段、次層再生手段、先読み速度設定手段）５と、光ピックアップ４が出力した信号を記憶するメモリ（バッファ手段）６等によって構成されている。光ピックアップ４は、レーザ光を出射するレーザダイオードと光ディスクＤによって反射された反射光を受光して電気信号に変換するフォトディテクタを有しており、光ディスクＤの径方向にスライド移動しながら、信号を読み取る。レーザダイオードから出射されたレーザ光は、対物レンズ７（図３参照）によって光ディスクＤの記録面に集光される。
【００１５】
本実施形態における光ディスク装置１は、片面に２層の記録面を有する光ディスク（例えば、ＤＶＤ）Ｄに対応する装置であり、第１層から第２層にレイヤジャンプする直前にデータを先読みし、その先読みデータをメモリ６に蓄積することにより、レイヤジャンプ時の再生画像の途切れや乱れ等を防止する機能を有している。レイヤジャンプは、対物レンズ７を駆動するためのフォーカシングコイル（図示せず）に通電することにより行うことができる。
【００１６】
図２は、片面に２層の記録面を有する光ディスクＤの記録順序を示している。光ディスクＤの記録順序は（ａ）又は（ｂ）に示されるように２通りあり、いずれの順序で記録されているかは、光ディスクＤの内周部分にディスク情報として記録されている。従って、光ディスクＤが光ディスク装置１に装填されたとき、このディスク情報を読み取れば、その光ディスクＤのデータ記録順序を取得することができる。
【００１７】
図２（ａ）において、第１層の記録面は、内周側から外周側に向ってデータが記録されており、第２層の記録面は、外周側から内周側に向ってデータが記録されている。この場合は、まず、光ピックアップ４を内周側から外周側に向って移動させて第１層のデータを再生し、光ピックアップ４が第１層の終了アドレスに到達すると、対物レンズ７の焦点を第１層から第２層に移動させてレイヤジャンプを行い、その後、光ピックアップ４を外周側から内周側に向って移動させて第２層のデータを再生すればよい。
【００１８】
また、図２（ｂ）において、第１層の記録面は、内周側から外周側に向ってデータが記録されており、第２層の記録面も、内周側から外周側に向ってデータが記録されている。この場合は、まず、光ピックアップ４を内周側から外周側に向って移動させて第１層のデータを再生し、光ピックアップ４が第１層の終了アドレスに到達すると、対物レンズ７の焦点を第１層から第２層に移動させてレイヤジャンプを行うと共に、光ピックアップ４を内周位置に移動させた後、光ピックアップ４を内周側から外周側に向って移動させて第２層のデータを再生すればよい。
【００１９】
図３は、図２（ａ）に示される記録順序の光ディスクＤを再生する場合において、第１層から第２層にレイヤジャンプしながらデータが再生される様子を示している。図中光ピックアップ４によって検出される目標アドレスは、レイヤジャンプのための準備動作を開始するための指標となるアドレスであり、光ディスクＤの各層の径方向への記録順序に応じてＣＰＵ５によって設定され、データ再生中に割り込み処理によって検出することができる。ここでは、第１層の終了アドレスの真上に第２層の開始アドレスが位置することから、対物レンズ７の移動のみでレイヤジャンプが完了し、レイヤジャンプに要する時間は短くできるので、目標アドレスは、第１層の終了アドレスに近いアドレスに設定される。
【００２０】
光ピックアップ４は、まず、内周側の第１層の開始アドレスから外周側に向って、第１層に記録されたデータの再生を開始する。このとき、対物レンズ７は、第１層の記録面に合焦されている。光ピックアップ４によるデータの再生は通常速度でなされる。光ピックアップ４が目標アドレスを検出した後は、倍速再生し、読み取ったデータをメモリ６に蓄積する。ここで倍速再生とは、通常再生より速い速度で再生することをいい、本実施形態では、光ピックアップによって読み取り可能な最大速度で再生するようにしている。この倍速再生は、ＣＰＵ５によってスピンドルモータ３の回転数を高める制御を行うことによりなされる。そして、第１層終了アドレスまでデータが再生されると、対物レンズ７を移動させて第２層の記録面に合焦させて、レイヤジャンプを行う。この間、メモリ６に蓄積された先読みデータが順次再生されている。レイヤジャンプが完了すると、外周側から内周側に向って第２層の再生を開始する。
【００２１】
図４は、図２（ｂ）に示される記録順序の光ディスクＤを再生する場合において、第１層から第２層にレイヤジャンプしながらデータが再生される様子を示している。ここでは、第１層の終了アドレスから離れた位置に第２層の開始アドレスがあることから、レイヤジャンプの際、対物レンズ７の移動に加えて光ピックアップ４の外周側から内周側への移動が必要となり、レイヤジャンプに要する時間が長くなるので、目標アドレスは、第１層の終了アドレスから比較的離れたアドレスに設定される。
【００２２】
光ピックアップ４は、図３に示した場合と同様に、内周側の第１層の開始アドレスから外周側に向って、第１層に記録されたデータの再生を通常速度で開始し、光ピックアップ４が目標アドレスを検出した後は、倍速で再生し、読み取ったデータをメモリ６に蓄積する。そして、第１層終了アドレスまでデータが再生されると、対物レンズ７を移動させて第２層の記録面に合焦させると共に、光ピックアップ４を内周側に移動させて、レイヤジャンプを行う。この間、メモリ６に蓄積された先読みデータが順次再生されている。レイヤジャンプが完了すると、内周側から外周側に向って第２層の再生を開始する。
【００２３】
次に、ＣＰＵ５の再生時の動作について、図５を参照して説明する。光ピックアップ装置１に光ディスクＤが挿入されると（＃１）、光ディスクＤの内周部分に記録されているディスク情報を読み取り、そのディスク情報から各層の記録順序を取得し（＃２）、取得した記録順序に応じてレイヤジャンプのための目標アドレスを設定する（＃３）。その後、第１層を通常速度で再生し（＃４）、目標アドレスを検出すると（＃５においてＹＥＳ）、第１層の残りのデータを最大速度で先読みし、その先読みデータをメモリ（バッファ）６に蓄積する（＃６）。第１層の読み取りが終了すると（＃７においてＹＥＳ）、メモリ６に蓄積されたデータを再生しながら、レイヤジャンプを実行する（＃８）。このレイヤジャンプは、＃２において取得した各層の記録順序によって、光ピックアップ４の移動を伴う場合と伴わない場合とに分けられる。そして、レイヤジャンプが完了すると（＃９においてＹＥＳ）、第２層を通常速度で再生し（＃１０）、処理を終了する。
【００２４】
このように、光ディスク装置１によれば、ＣＰＵ５が目標アドレスから第１層の終了アドレスまでデータを最大速度で先読みして、その先読みデータをメモリ６に蓄積するように、スピンドルモータ３及び光ピックアップ４等を制御するので、レイヤジャンプ前のメモリ６にはレイヤジャンプに要する時間分のデータが蓄積されることになり、メモリ６の記憶容量を増やすことなく、レイヤジャンプ時における再生画像の乱れ等を防止することができる。また、目標アドレスは、＃２（図５参照）おいて取得した記録順序に応じて設定されるので、レイヤジャンプ時における光ピックアップ４の径方向への移動が必要でない（又は移動量が少ない）と判断される場合には、目標アドレスを第１層の終端近傍に設定してデータの先読みを行う時間を短くすることができ、装置の稼動音が必要以上に大きくなることもない。
【００２５】
なお、本発明は上記実施形態の構成に限られることなく種々の変形が可能であり、例えば、目標アドレスを検出した後の先読み速度は、記録順序に応じてＣＰＵ５によって任意に設定されるように構成してもよい。一般に光ディスクの回転数を上げるとそれに伴って装置の稼動音が大きくなるが、この構成によれば、限られた記憶容量のメモリ６を用いながらも、必要以上に先読み速度（光ディスクの回転数）を上げることなく、レイヤジャンプに要する時間分のデータを先読みすることができ、装置の稼動音を抑制することができる。また、光ディスク装置１によって再生する光ディスクＤは２層の記録面を有するＤＶＤに限られることなく、複数層の記録面を有する他の光ディスクに広く適用することができる。
【００２６】
【発明の効果】
以上のように請求項１の発明によれば、データ先読み手段が目標アドレスから第１層の終了アドレスまでデータを最大速度で先読みして、その先読みデータをバッファ手段に蓄積する。これにより、レイヤジャンプ前のバッファ手段にはレイヤジャンプに要する時間分のデータが蓄積されることになるので、バッファ手段の記憶容量を増やすことなくレイヤジャンプ時における再生画像の乱れ等を防止することができる。また、目標アドレスは、記録順序取得手段が取得した記録順序に応じて設定されるので、レイヤジャンプ時における光ピックアップの径方向への移動量が少ないと判断される場合には、目標アドレスを第１層の終端近傍に設定してデータの先読みを行う時間を短くすることができ、装置の稼動音が必要以上に大きくなることもない。
【００２７】
請求項２の発明によれば、データ先読み手段が目標アドレスから第１層の終了アドレスまでデータを先読みして、その先読みデータをバッファ手段に蓄積する。これにより、レイヤジャンプ前のバッファ手段には先読みデータが蓄積されることになるので、レイヤジャンプ時における再生画像の乱れ等を防止することができる。また、目標アドレスは、記録順序取得手段が取得した記録順序に応じて設定されるので、請求項１と同様に、装置の稼動音が必要以上に大きくなることもない。
【００２８】
請求項３の発明によれば、先読み速度設定手段が該記録順序に応じて先読み速度を設定するので、限られた記憶容量のバッファ手段を用いながらも、必要以上に先読み速度を上げることなくレイヤジャンプに要する時間分のデータを先読みすることができ、装置の稼動音を抑制することができる。
【図面の簡単な説明】
【図１】本発明の一実施形態による光ディスク装置の構成を示すブロック図。
【図２】同装置によって再生される２層の記録面を有する光ディスクの各層の記録順序を示した図。
【図３】同装置によって、第１層から第２層にレイヤジャンプしながらデータが再生される様子を示した図。
【図４】同装置によって、第１層から第２層にレイヤジャンプしながらデータが再生される様子を示した別の図。
【図５】同装置に備えられているＣＰＵの再生時の動作を示したフローチャート。
【符号の説明】
１    光ディスク装置
４    光ピックアップ
５    ＣＰＵ（記録順序取得手段、目標アドレス設定手段、データ先読み手段、レイヤジャンプ手段、第２層再生手段、次層再生手段、先読み速度設定手段）
６    メモリ（バッファ手段）
Ｄ    光ディスク
【図１】
2004335029.tif 000003
【図２】
2004335029.tif 000004
【図３】
2004335029.tif 000005
【図４】
2004335029.tif 000006
【図５】
2004335029.tif 000007